(57)【要約】      （修正有）【課題】理美容院において、被洗髪者の首部が暖かく、しかも快適な洗髪を受けることができるシャンプーボールクッションを提供する。【解決手段】理美容院で洗髪に使用されるシャンプーボールの周辺部に形成された凹部に装着される柔軟性を備えたシャンプーボールクッション１０であって、略中央部の本体部１１と前記本体部１１の両側のガイド部１２とから構成され、前記本体部１１には発熱体２０が具備される構成とした。【選択図】図３
0003198251.tif 000002
【実用新案登録請求の範囲】
【請求項１】
理美容院で洗髪に使用されるシャンプーボールの周辺部に形成された凹部に装着される柔軟性を備えたシャンプーボールクッションであって、略中央部の本体部と前記本体部の両側のガイド部と、から構成され、
前記本体部には発熱手段が具備されていることを特徴とするシャンプーボールクッション。
【請求項２】
前記発熱手段は、前記本体部の内部に取り付けられた電熱線であることを特徴とする請求項１に記載のシャンプーボールクッション。
【考案の詳細な説明】
【考案の詳細な説明】
【技術分野】
【０００１】  本考案は、理美容院などで仰臥姿勢で洗髪を行う場合に使用されるシャンプーボールに係り、特に首部を支えるために取り付けられるシャンプーボールクッションに関する。
【背景技術】
【０００２】  従来、理美容院などにおいては、洗髪専用のシャンプーボールが備えられており、このシャンプーボールには被洗髪者の首部をのせるために、周辺部の一部に凹部が形成されている。被洗髪者は椅子または寝台の上に仰臥した状態で、この凹部に首部をのせ、頭部をシャンプーボールのシンク内に入れてシャンプーされるようになっている。【０００３】  この洗髪に使用するシャンプーボールにおいては、その素材が磁器製や硬質樹脂製であるため、このシャンプーボールの凹部に直接首部をのせると苦痛を感じたり冷たく感じたりするものであった。その解決手段として、特許文献１に示すように、痛さを緩和するためシャンプーボールの凹部に専用のシャンプーボールクッションを取り付けることが行われていた。【０００４】
【特許文献１】特開２００５−１６８９９２
【考案の概要】
【考案が解決しようとする課題】
【０００５】  しかしながら、上述した従来のシャンプーボールにおいては、確かに被洗髪者の首部の苦痛は緩和されるものの、首部の冷たさを解決するものではなく、理美容院においては、首部が冷たくならないようにシャンプーボールクッションに蒸しタオルなどを当てて対処していた。
【考案の概要】
【考案が解決しようとする課題】
【０００６】  ところが、上述した従来のシャンプーボールにおいては、被洗髪者の姿勢によりシャンプーボールクッションからタオルが外れてしまったり、時間が経過するとタオルが冷たくなり、被洗髪者が不快感を感じてしまうという不都合があった。【０００７】  本案は上述した従来の問題点を鑑みなされたものであり、被洗髪者の首部がを暖かく、しかも快適な洗髪を受けることができるシャンプーボールクッションを提供するものである。
【課題を解決するための手段】
【０００８】  本考案は、理美容院で洗髪に使用されるシャンプーボールの周辺部に形成された凹部に装着される柔軟性を備えたシャンプーボールクッションであって、略中央部の本体部と前記本体部の両側のガイド部とから構成され、前記本体部には発熱手段が具備されていることを特徴とするものである。【０００９】  また、本考案における発熱手段は、前記本体部の内部に取り付けられた電熱線であることを特徴としている。
【考案の効果】
【００１０】  本考案によれば、首部の痛さや疲労感を感じることがなく、しかも首部が暖かくなり、快適な快適な洗髪を受けることが可能となる。
【図面の簡単な説明】
【００１１】
【図１】本考案に係るシャンプーボールクッションを備えたシャンプーボールを概略的に説明する斜視図である。
【図２】図１のシャンプーボールを示す斜視図である。
【図３】本考案に係るシャンプーボールクッションの構成を示す正面図である。
【図４】図３のＡ−Ａ断面図である。
【考案を実施するための形態】
【００１２】  以下、本考案におけるシャンプーボールクッションの実施の形態を図を参照して詳細に説明する。図１は本考案のシャンプーボールクッションを備えたシャンプーボールを示すもので、シャンプーボール１は、温水を吐出するシャワー２と、水栓３とが備えられている。このシャンプーボール１の前側の縁部にはシャンプーボールクッション１０が取り付けられている。
【００１３】  このシャンプーボール１の前方には、被洗髪者の身体を支持する椅子５が設置されており、この椅子５の背もたれ６を後方に倒すことができる構造になっている。また、このシャンプーボール１の前側の縁部には、図２に示すように、凹部４が形成されており、この凹部４を覆うようにシャンプーボールクッション１０が取り付けられるものである。
【００１４】  本考案のシャンプーボールクッション１０は、図３または図４に示すように、材料が柔軟性を具備するように、エーテル系ポリウレタフォームやシリコン系樹脂などの合成樹脂材料から形成されたものである。このシャンプーボールクッション１０は、中央部の本体部１１と、この本体部１１の両側に形成された耳状のガイド部１２、１２から構成されている。
【００１５】  また、本体部１１は、図４に示すように、断面形状が略鞍型に形成され、裏側は前記シャンプーボール１の凹部４に装着可能なように凹部１３が形成されている。そして、この本体部１１の内部には発熱体２０が備えられている。発熱体２０は本体部の成形加工時に内部に封入されるものである。
【００１６】  この発熱体２０は、発熱手段として一般的には複数列のニクロム線２１、２１、２１・・・が平行に配列されている。これらのニクロム線２１、２１、２１・・・はコード２２によって接続されており、このコード２２は後述するコントローラ２３に接続されている。
【００１７】  また、この発熱体２０の近傍には、発熱体２０の温度を検出するためのサーミスタ２５が取り付けられており、このサーミスタ２５もコード２６によりコントローラ２３に接続されている。
【００１８】  コントローラ２３は、内部に図示しない公知の制御回路を備えており、サーミスタ２５の信号により、発熱体２０への電流を制御するもので、この制御作用により温度調整を行うものである。そのため、このコントローラ２３には温度調節ツマミ２４が取り付けられている。そして、このコントローラ２３はプラグ２７により電源に接続されるものである。
【００１９】  次に、本考案のシャンプーボールクッション１０の使用方法について説明する。まず、洗髪にさきがけて、このシャンプーボールクッション１０をシャンプーボール１の凹部４に装着する。そして、プラグ２７を図示しない交流電源に差し込む、
【００２０】  次に、コントローラ２３の温度調節ツマミ２４を回して所望の温度に設定する。すると、発熱体２０に電源が供給され、ニクロム線２１が発熱し本体部の温度が上昇する。
【００２１】  やがて、本体部１１が所定の設定温度より上昇すると、サーミスタ２４の内部抵抗が変化することにより、コントローラ１７の図示しない制御回路が動作して、発熱体２０へ供給する電流を遮断する。すると、本体部１１の温度も下がるので、設定温度より下がるとコントローラ２３が作動し、再び発熱体２０に電源を供給し加熱する。コントローラ２３の制御動作により、本体部１１の温度を所定範囲に保つことができ、被洗髪者は快適な状態で洗髪を受けることができるものである。
【００２２】  このように構成された本考案のシャンプーボールクッションは、柔らかくクッション性の高い材料で形成されているので、被洗髪者の首部を柔らかく支持するので、被洗髪者に疲労を感じさせることはなく、さらに内部の発熱体により本体部が適正な温度に保たれるので、被洗髪者は快適な状態で洗髪を受けることができるものである。
【００２３】  上述した実施の形態においては、発熱手段としてニクロム線を使用したが、本考案のシャンプーボールクッションは、このニクロム線に限定されるものではなく、例えば、シリコンラバーヒータやＰＴＣセラミック面状ヒ−タなどを使用できることは勿論である。
【符号の説明】
【００２４】１            シャンプーボール
２            シャワー
３            水栓
４            凹部
５            椅子
６            背もたれ
１０          シャンプーボールクッション
１１          本体部
１２          ガイド部
１３          凹部
２０          発熱体
２１          ニクロム線
２２          コード
２３          コントローラ
２４          温度調整ツマミ
２５          サーミスタ
２６          コード
２７          プラグ
【図１】
0003198251.tif 000003
【図２】
0003198251.tif 000004
【図３】
0003198251.tif 000005
【図４】
0003198251.tif 000006